(57)【要約】【課題】  テレビ視聴者の位置に応じて最適な画面位置となるように移動可能であり、また壁内にスッキリと収納できて室内インテリアとしても優れている薄型テレビ用ラックを提供する。【解決手段】  一側縁が壁面５に枢着されて回動自在なドア風のラック本体１の表面に薄型テレビ４をセットし、前記ラック本体１を壁面５に設けた凹部６内へ収納して薄型テレビ４の画面を壁面５と平行な状態とする態様と、凹部６から引き出して薄型テレビ４の画面を壁面５と角度を持たせた状態とする態様の２態様を採れるようにした。【選択図】      図１
2006210972.tif 000002
【特許請求の範囲】
【請求項１】
一側縁が壁面に枢着されて回動自在なドア風のラック本体の表面に薄型テレビをセットし、前記ラック本体を壁面に設けた凹部内へ収納して薄型テレビの画面を壁面と平行な状態とする態様と、凹部から引き出して薄型テレビの画面を壁面と角度を持たせた状態とする態様の２態様を採れるようにしたことを特徴とする薄型テレビ用ラック。
【請求項２】
ラック本体が兆番により壁面に枢着されている請求項１に記載の薄型テレビ用ラック。
【請求項３】
ラック本体の表面にドアノブを設けた請求項１または２に記載の薄型テレビ用ラック。
【請求項４】
ラック本体の下部にキャスターを設けた請求項１〜３のいずれかに記載の薄型テレビ用ラック。
【請求項５】
ラック本体の背面に引き出し角度を制限するためのストッパー部材を設けた請求項１〜４のいずれかに記載の薄型テレビ用ラック。
【発明の詳細な説明】
【技術分野】
【０００１】
本発明は、テレビ視聴者の位置に応じて最適な画面位置となるように移動可能であり、また壁内にスッキリと収納できて室内インテリアとしても優れている薄型テレビ用ラックに関するものである。
【背景技術】
【０００２】
従来から、テレビ用ラックとして下部をビデオデッキ等の収納部とし天板をテレビ載置部としたボックス状のものや、リビングボードの一部をテレビ収納部としたものが普通に用いられている。また、テレビ視聴者の位置に応じて最適な画面位置となるように首振り機能をもやせたものや、画面傾斜角度の調整ができるようにしたものも知られている（例えば、特許文献１参照）。
【０００３】
一方、最近では液晶テレビやプラズマテレビ等の普及がめざましい。これら薄型テレビの場合は省スペースが大きな利点であり、部屋の壁に掛けて、あるいは壁と平行にセットして利用に供されているのが普通である。しかしながら、視聴者はテレビを壁と平行な位置で見るだけでなく、例えば部屋のコーナー部に置いて壁と斜めの位置にあるテレビを部屋の中央部から見たい場合もあり、この場合にその都度テレビを移動することは面倒であるとともに、テレビの重量もあってほとんど不可能であるという問題点があった。また、薄型テレビを壁と斜めに置くことは省スペースの利点を十分に活かすことができなくなるという問題点もあった。
【特許文献１】実開昭６３−１６５９７２号公報
【発明の開示】
【発明が解決しようとする課題】
【０００４】
本発明は上記のような問題点を解決して、テレビ視聴者の位置に応じて最適な画面位置となるように簡単に移動することができるるとともに、壁内にスッキリと収納できて省スペースの利点も最大限に活かすことができ、更には室内インテリアとしても優れている薄型テレビ用ラックを提供することを目的として完成されたものである。
【課題を解決するための手段】
【０００５】
上記課題を解決するためになされた本発明の薄型テレビ用ラックは、一側縁が壁面に枢着されて回動自在なドア風のラック本体の表面に薄型テレビをセットし、前記ラック本体を壁面に設けた凹部内へ収納して薄型テレビの画面を壁面と平行な状態とする態様と、凹部から引き出して薄型テレビの画面を壁面と角度を持たせた状態とする態様の２態様を採れるようにしたことを特徴とするものである。
【発明の効果】
【０００６】
本発明の薄型テレビ用ラックは、薄型テレビをセットしたラック本体を、壁面に設けた凹部内へ収納して薄型テレビの画面を壁面と平行な状態とする態様と、凹部から引き出して薄型テレビの画面を壁面と角度を持たせた状態とする態様の２態様を採れるようにしたので、テレビ視聴者の位置に応じて最適な画面位置となるように簡単に移動することが可能であり、また壁内の凹部にスッキリと収納できて省スペースの利点も最大限に活かすことができる。
【発明を実施するための最良の形態】
【０００７】
以下に、図面を参照しつつ本発明の好ましい形態を示す。
図面は、本発明のラックを部屋のコーナー部に設けた一例を示すものであり、図１はラックを壁面に設けた凹部内へ収納した状態を示す斜視図、図２はラックを凹部から引き出した状態を示す斜視図、図３はラックを凹部から引き出した状態を背面側から見た斜視図、図４はラックを凹部から引き出した状態の平面図である。
【０００８】
図において、１はドア風のラック本体、２はこのラック本体１を壁面に回動自在に枢着している兆番、３はラック本体１の表面に設けられた把手であり、前記ラック本体１の表面には液晶テレビやプラズマテレビ等の薄型テレビ４がセットしてある。そして、前記ラック本体１は兆番２を中心に自在に回動するよう構成されており、ドア風の板状ラック本体１、兆番２を中心に回動する形態、把手３を有する点などは一見するとあたかもドアのような態をなしている。
【０００９】
一方、部屋の壁面５には凹部６が設けられており、薄型テレビ４をセットしたラック本体１を、前記壁面５に設けた凹部６内へ収納して薄型テレビ４の画面を壁面５と平行な状態とする態様と、凹部６から引き出して薄型テレビ４の画面を壁面５と角度を持たせた状態とする態様の２態様を採れるよう構成されている。
これにより、ラック本体１を壁面５に対し任意の角度の位置で止めることが可能となり、薄型テレビ４の画面を壁面５と平行な状態から壁面５と所望の角度を持たせた状態まで自在に操作できることとなる。この結果、テレビ画面を視聴者の位置に応じて最も見やすい最適な位置まで簡単に移動することができる。なお、このラック本体１に電気で作動する回転機構を組み込めば、ラック本体１の開閉運動をリモコンにより遠隔操作することも可能となる。
【００１０】
なお、液晶テレビやプラズマテレビ等の薄型テレビ４は重量があり、ラック本体１を兆番２のみで支持するのは難しいため、ラック本体１の下部にキャスター７を設けておくことが好ましい。これにより、ラック本体１を兆番２とキャスター７とで重量分散して支持することができるとともに、キャスター７の滑車作用によりラック本体１を小さな力で容易に回動することができることとなる。比較的重量の軽いテレビであれば、キャスター無しでも兆番２のみで支えることができることは勿論である。
【００１１】
また、ラック本体１の背面には引き出し角度を制限するためのストッパー部材８を設けておくことが好ましい。これは図３に示されるように、例えばラック本体１の背面と壁面５の間をチェーンや紐等で連結し、ラック本体１が一定角度以上に開くのを防止するものを採用することができる。その他の一般的なドアストッパー機構を用いてもよいことは勿論である。また、このストッパー部材８に代えて、前記キャスター７にストッパー機構を組み込んでおくことも可能である。
なお、薄型テレビ４への電源はラック本体１の回転中心付近に設けたり、前記チェーン等のストッパー部材８に沿わせたりしておけば邪魔にならず、また優れた見栄えを呈することとなり好ましい。
【００１２】
以上の説明からも明らかなように、本発明は一側縁が壁面５に枢着されて回動自在なドア風のラック本体１の表面に薄型テレビ４をセットし、前記ラック本体１を壁面５に設けた凹部６内へ収納して薄型テレビ４の画面を壁面５と平行な状態とする態様と、凹部６から引き出して薄型テレビ４の画面を壁面５と角度を持たせた状態とする態様の２態様を採れるようにしたので、テレビ視聴者の位置に応じて最適な画面位置となるように簡単に移動することが可能となり、また壁面５の凹部６内にスッキリと収納できて省スペースの利点も最大限に活かすことができることとなる。更には、ドア風の態をしており違和感がなく室内インテリアとしても優れた効果も奏するという利点も有する。
【図面の簡単な説明】
【００１３】
【図１】ラックを壁面に設けた凹部内へ収納した状態を示す斜視図である。
【図２】ラックを凹部から引き出した状態を示す斜視図である。
【図３】ラックを凹部から引き出した状態を背面側から見た斜視図である。
【図４】ラックを凹部から引き出した状態の平面図である。
【符号の説明】
【００１４】
１  ラック本体
２  兆番
３  把手
４  薄型テレビ
５  壁面
６  凹部
７  キャスター
８  ストッパー部材
【図１】
2006210972.tif 000003
【図２】
2006210972.tif 000004
【図３】
2006210972.tif 000005
【図４】
2006210972.tif 000006